(57)【要約】【課題】  着信する端末装置が高速通信網のサービス圏外に位置するとき、もしくは、高速通信網側インタフェースを休止しているときでも、着信情報を着信があった時間に遅れることなく取得可能とする。【解決手段】  着信を伝えるに必要十分な情報を、通常着信に使用する通信網とは異なる通信網を介して通知する。さらに、着信情報を受信する端末装置が、主電源を切断した状態であっても、通信網からの着信情報受信を可能とするための電池回路を設ける。さらに、着信情報を通知するサービスを実施する装置に対して、端末装置の通信網への接続状態を監視する。さらに、着信情報を通知するサービスを実施する装置に対して、ディジタル回線に加え、従来のアナログ回線を収容し、それらからの着信する電話の情報を通知する。さらに、指定した端末装置に対してのみ着信通知サービスを実施する。【選択図】  図１
2006324790.tif 000002
【特許請求の範囲】
【請求項１】
複数の通信網と接続可能であり、いずれか一方の通信網を用いて通信を行う端末装置に対し、
当該端末装置の前記一方の通信網に対する接続状態を検知する手段と、
前記一方の通信網を介して前記端末装置に対する着信が発生したときに、前記検知する手段の検知結果に基づき前記端末装置が当該着信の受け入れが不能状態であるときには、前記端末装置に、前記一方の通信網とは異なる他方の通信網を介して前記一方の通信網において発生した着信に関する情報を通知する手段と
を備えた着信通知システム。
【請求項２】
外部からの制御入力に応じて前記端末装置に電源を投入する電池回路を備え、
前記通知する手段が前記端末装置に対し、着信に関する情報の通知を行う際に、当該端末装置の前記電池回路に前記制御入力を与える手段を備えた請求項１記載の着信通知システム。
【請求項３】
前記検知する手段は、複数の前記端末装置の前記一方の通信網との接続状態を順番に確認する手段を備えた請求項１記載の着信通知システム。
【請求項４】
前記端末装置は、自端末装置と前記一方の通信網との接続状態を監視して前記検知する手段に報告する手段を備え、
前記検知する手段は、当該報告する手段からの報告を受け取り前記端末装置の前記一方の通信網との接続状態を検知する手段を備えた
請求項１記載の着信通知システム。
【請求項５】
前記一方の通信網には、自通信網と前記端末装置との接続状態を監視する手段を備え、
前記検知する手段は、当該監視する手段に前記端末装置の前記一方の通信網との接続状態を問い合わせる手段を備えた
請求項１記載の着信通知システム。
【請求項６】
前記着信は、電子メールまたはＩＰ電話を含むディジタル回線からの着信に加えアナログ電話回線からの着信も含む請求項１記載の着信通知システム。
【請求項７】
前記通知する手段は、あらかじめ指定された前記端末装置に限定して通知を行う手段を備えた請求項１記載の着信通知システム。
【請求項８】
複数の通信網に接続されたサーバ装置において、
前記複数の通信網と接続可能であり、いずれか一方の通信網を用いて通信を行う端末装置に対し、
当該端末装置の前記一方の通信網に対する接続状態を検知する手段と、
前記一方の通信網を介して前記端末装置に対する着信が発生したときに、前記検知する手段の検知結果に基づき前記端末装置が当該着信の受け入れが不能状態であるときには、前記端末装置に、前記一方の通信網とは異なる他方の通信網を介して前記一方の通信網において発生した着信に関する情報を通知する手段と
を備えたことを特徴とするサーバ装置。
【請求項９】
前記通知する手段が前記端末装置に対し、着信に関する情報の通知を行う際に、外部からの制御入力に応じて当該端末装置に電源を投入する電池回路に当該制御入力を与える手段を備えた請求項８記載のサーバ装置。
【請求項１０】
前記検知する手段は、複数の前記端末装置の前記一方の通信網との接続状態を順番に確認する手段を備えた請求項８記載のサーバ装置。
【請求項１１】
前記検知する手段は、前記端末装置が有する前記端末装置と前記一方の通信網との接続状態を監視して前記検知する手段に報告する手段からの報告を受け取り前記端末装置の前記一方の通信網との接続状態を検知する手段を備えた
請求項８記載のサーバ装置。
【請求項１２】
前記検知する手段は、前記一方の通信網が有する前記一方の通信網と前記端末装置との接続状態を監視する手段に前記端末装置の前記一方の通信網との接続状態を問い合わせる手段を備えた請求項８記載のサーバ装置。
【請求項１３】
前記着信は、電子メールまたはＩＰ電話を含むディジタル回線からの着信に加えアナログ電話回線からの着信も含む請求項８記載のサーバ装置。
【請求項１４】
前記通知する手段は、あらかじめ指定された前記端末装置に限定して通知を行う手段を備えた請求項８記載のサーバ装置。
【請求項１５】
請求項２記載の着信通知システムに適用され、前記通知する手段からの制御入力に応じて電源を投入する電池回路を備えた端末装置。
【請求項１６】
請求項４記載の着信通知システムに適用され、自端末装置と前記一方の通信網との接続状態を監視して前記検知する手段に報告する手段を備えた端末装置。
【請求項１７】
複数の通信網と接続可能であり、いずれか一方の通信網を用いて通信を行う端末装置に対し、
当該端末装置の前記一方の通信網に対する接続状態を検知するステップと、
前記一方の通信網を介して前記端末装置に対する着信が発生したときに、前記検知するステップの検知結果に基づき前記端末装置が当該着信の受け入れが不能状態であるときには、前記端末装置に、前記一方の通信網とは異なる他方の通信網を介して前記一方の通信網において発生した着信に関する情報を通知するステップと
を実行する着信通知方法。
【請求項１８】
前記通知するステップの実行に際し、着信に関する情報の通知を行う際に、外部からの制御入力に応じて前記端末装置に電源を投入する電池回路に当該制御入力を与えるステップを実行する請求項１７記載の着信通知方法。
【請求項１９】
前記検知するステップの実行に際し、複数の前記端末装置の前記一方の通信網との接続状態を順番に確認するステップを実行する請求項１７記載の着信通知方法。
【請求項２０】
前記端末装置は、自端末装置と前記一方の通信網との接続状態を監視して報告するステップを実行し、
前記検知するステップの実行に際し、当該報告するステップからの報告を受け取り前記端末装置の前記一方の通信網との接続状態を検知するステップを実行する
請求項１７記載の着信通知方法。
【請求項２１】
前記一方の通信網は、自通信網と前記端末装置との接続状態を監視するステップを実行し、
前記検知するステップの実行に際し、前記監視するステップに前記端末装置の前記一方の通信網との接続状態を問い合わせるステップを実行する請求項１７記載の着信通知方法。
【請求項２２】
前記着信は、電子メールまたはＩＰ電話を含むディジタル回線からの着信に加えアナログ電話回線からの着信も含む請求項１７記載の着信通知方法。
【請求項２３】
前記通知するステップの実行に際し、あらかじめ指定された前記端末装置に限定して通知を行うステップを実行する請求項１７記載の着信通知方法。
【発明の詳細な説明】
【技術分野】
【０００１】
本発明は、データ通信の分野における電話または電子メールなどによる通信に利用する。特に、着信通知技術に関する。
【背景技術】
【０００２】
従来技術では、端末装置が即時応答不能なときの電話の着信または電子メールの着信の通知に対して以下のものがある。
電子メールと電話の着信通知：特許文献１
電子メールの着信通知：特許文献２
ＩＰ電話の着信通知：特許文献３
特許文献１では、端末装置が高速通信網のサービス圏外にあるときの電話や電子メールの着信情報を一時蓄積し、端末装置が高速通信網のサービス圏内に入った時点で、一時蓄積した着信情報を通知する。当該従来技術では、メッセージを一時蓄積し、端末がサービス圏内に入るまでの時間を要するため、即時性が確保されない。
【０００３】
特許文献２では、ユーザが使用する電子メールサーバに当該ユーザ宛ての電子メールが着信した際に、高速な通信網（ＩＳＤＮ網）に接続されたターミナルアダプタに予め設定されたＩＳＤＮサブアドレスに対して、メールサーバが発呼し特定の表示装置にメール着信の旨を表示する。当該従来技術では、ユーザはメール着信を確認するためには、ターミナルアダプタの表示を確認する必要があり、加えて、メールサーバからの着呼情報しかないため、メールの差出人等を即座に知ることはできない。
【０００４】
特許文献３では、ＶｏＩＰアダプタに着信した電話の発信者情報をＩＰ網もしくは携帯電話網を介して、予め設定した端末に通知する。当該従来技術では、ＶｏＩＰアダプタに通知機能を新たに実装する必要があり、既存ＶｏＩＰアダプタを使用しているユーザは利用できない。
【０００５】
【特許文献１】特開２００３−２８４１４７号公報
【特許文献２】特開２００２−１１８６７４号公報
【特許文献３】特開２００４−４０５４１号公報
【発明の開示】
【発明が解決しようとする課題】
【０００６】
このように、従来は、メッセージを一時蓄積し、端末がサービス圏内に入るまでの時間を要するため、即時性が確保されない（特許文献１）、あるいは、ユーザはメール着信を確認するためには、ターミナルアダプタの表示を確認する必要があり、加えて、メールサーバからの着呼情報しかないため、メールの差出人等を即座に知ることはできない（特許文献２）、あるいは、ＶｏＩＰアダプタに通知機能を新たに実装する必要があり、既存ＶｏＩＰアダプタを使用しているユーザは利用できない（特許文献３）など、着信通知の即時性を実現することが困難な状況にある。
【０００７】
本発明では、電話または電子メールなどを着信する端末装置が通信網のサービス圏外に位置するとき、もしくは、通信網側インタフェースを休止しているときでも、電話または電子メールの着信情報を着信があった時間に遅れることなく取得可能とすることができる着信通知方法および端末装置およびサーバ装置を提供することを目的とする。
【課題を解決するための手段】
【０００８】
本発明では、従来の課題を解決するために、電話または電子メールなどの着信情報を通知する相手である端末装置または通知サービスを実施する装置に対して、着信を伝えるに必要十分な情報を、通常着信に使用する通信網とは異なる通信網を介して通知することを特徴とする。
【０００９】
さらに、電話または電子メールなどの着信情報を受信する端末装置が、主電源を切断した状態であっても、通信網からの着信情報受信を可能とするための電池回路を設けることができる。
【００１０】
さらに、電話または電子メールなどの着信情報を通知するサービスを実施する装置に対して、端末装置の通信網への接続状態を監視することができる。
【００１１】
さらに、電話または電子メールなどの着信情報を通知するサービスを実施する装置に対して、ディジタル回線に加え、従来のアナログ回線を収容し、それらからの着信する電話の情報を通知することができる。
【００１２】
さらに、あらかじめ指定された端末装置に限定して通知を行うことができる。
【００１３】
すなわち、本発明の第一の観点は、着信通知システムであって、本発明の特徴とするところは、複数の通信網と接続可能であり、いずれか一方の通信網を用いて通信を行う端末装置に対し、当該端末装置の前記一方の通信網に対する接続状態を検知する手段と、前記一方の通信網を介して前記端末装置に対する着信が発生したときに、前記検知する手段の検知結果に基づき前記端末装置が当該着信の受け入れが不能状態であるときには、前記端末装置に、前記一方の通信網とは異なる他方の通信網を介して前記一方の通信網において発生した着信に関する情報を通知する手段とを備えたところにある。
【００１４】
前記一方の通信網は、例えば、高速通信網であり、端末装置は通常、当該高速通信網を介して通信を行う。また、前記他方の通信網は、例えば、前記高速通信網と比較するとデータ通信速度は低いがサービスエリアの広い広域通信網であり、前記端末装置は、ほぼ常時、当該広域通信網と接続可能である。
【００１５】
これによれば、端末装置のユーザは、当該端末装置が高速通信網を介して発生した着信を受け入れ不能である場合でも広域通信網を介して当該着信の発生を知ることができるため、端末装置を、高速通信網を介した着信の受け入れが可能な状態にしたり、あるいは、全く別の方法を用いて発信を行ったユーザに対するコンタクトを試みることができる。
【００１６】
また、外部からの制御入力に応じて前記端末装置に電源を投入する電池回路を備え、前記通知する手段が前記端末装置に対し、着信に関する情報の通知を行う際に、当該端末装置の前記電池回路に前記制御入力を与える手段を備えることができる。これによれば、端末装置の主電源が断状態であっても着信通知を行うことができる。
【００１７】
また、前記検知する手段は、複数の前記端末装置の前記一方の通信網との接続状態を順番に確認する手段を備えることができる。例えば、前記一方の通信網と前記端末装置とが接続されるアクセススポットに接続されている前記端末装置のアドレスを順番に確認することによって複数の前記端末装置と前記一方の通信網との接続状態を順番に確認することができる。
【００１８】
あるいは、前記端末装置は、自端末装置と前記一方の通信網との接続状態を監視して前記検知する手段に報告する手段を備え、前記検知する手段は、当該報告する手段からの報告を受け取り前記端末装置の前記一方の通信網との接続状態を検知する手段を備えるとこができる。
【００１９】
これによれば、前記検知する手段は、前記端末装置と前記一方の通信網との接続関係が変化した場合に、速やかに、その状況を検知することができるので、前述したように、複数の前記端末装置の前記一方の通信網との接続状態を順番に確認する場合と比較すると、接続状態の変化をリアルタイムで取得することができる。前記報告する手段に相応する機能を、従来の端末装置に追加する必要が生じるが、端末装置が従来から有している発信要求などの信号発生機能を前記報告する手段として転用することもできる。
【００２０】
あるいは、前記一方の通信網には、自通信網と前記端末装置との接続状態を監視する手段を備え、前記検知する手段は、当該監視する手段に前記端末装置の前記一方の通信網との接続状態を問い合わせる手段を備えることができる。
【００２１】
これによれば、監視する手段を別装置として構成することができるため、処理の負荷を複数の装置に分散させることができる。
【００２２】
また、前記着信は、電子メールまたはＩＰ電話を含むディジタル回線からの着信に加えアナログ電話回線からの着信も含むことができる。
【００２３】
これによれば、着信通知サービスの適用範囲を拡大することができ、ユーザの利便性を向上させることができる。
【００２４】
また、前記通知する手段は、あらかじめ指定された前記端末装置に限定して通知を行う手段を備えることができる。
【００２５】
これによれば、例えば、着信通知サービスを契約したユーザに対してのみ、当該サービスを提供することができるため、通信事業者が当該サービスの提供契約を行ったユーザとそれ以外のユーザとを区別して課金することができる。
【００２６】
本発明の第二の観点は、複数の通信網に接続されたサーバ装置であって、本発明の特徴とするところは、前記複数の通信網と接続可能であり、いずれか一方の通信網を用いて通信を行う端末装置に対し、当該端末装置の前記一方の通信網に対する接続状態を検知する手段と、前記一方の通信網を介して前記端末装置に対する着信が発生したときに、前記検知する手段の検知結果に基づき前記端末装置が当該着信の受け入れが不能状態であるときには、前記端末装置に、前記一方の通信網とは異なる他方の通信網を介して前記一方の通信網において発生した着信に関する情報を通知する手段とを備えたところにある。
【００２７】
また、前記通知する手段が前記端末装置に対し、着信に関する情報の通知を行う際に、外部からの制御入力に応じて前記端末装置に電源を投入する電池回路に当該制御入力を与える手段を備えることができる。
【００２８】
また、前記検知する手段は、複数の前記端末装置の前記一方の通信網との接続状態を順番に確認する手段を備えることができる。
【００２９】
あるいは、前記検知する手段は、前記端末装置が有する前記端末装置と前記一方の通信網との接続状態を監視して前記検知する手段に報告する手段からの報告を受け取り前記端末装置の前記一方の通信網との接続状態を検知する手段を備えることができる。
【００３０】
あるいは、前記検知する手段は、前記一方の通信網が有する前記一方の通信網と前記端末装置との接続状態を監視する手段に前記端末装置の前記一方の通信網との接続状態を問い合わせる手段を備えることができる。
【００３１】
また、前記着信は、電子メールまたはＩＰ電話を含むディジタル回線からの着信に加えアナログ電話回線からの着信も含むことができる。
【００３２】
また、前記通知する手段は、あらかじめ指定された前記端末装置に限定して通知を行う手段を備えることができる。
【００３３】
本発明の第三の観点は、本発明の着信通知システムに適用され、前記通知する手段からの制御入力に応じて電源を投入する電池回路を備えた端末装置である。あるいは、本発明の着信通知システムに適用され、自端末装置と前記一方の通信網との接続状態を監視して前記検知する手段に報告する手段を備えた端末装置である。
【００３４】
本発明の第四の観点は、着信通知方法であって、本発明の特徴とするところは、複数の通信網と接続可能であり、いずれか一方の通信網を用いて通信を行う端末装置に対し、当該端末装置の前記一方の通信網に対する接続状態を検知するステップと、前記一方の通信網を介して前記端末装置に対する着信が発生したときに、前記検知するステップの検知結果に基づき前記端末装置が当該着信の受け入れが不能状態であるときには、前記端末装置に、前記一方の通信網とは異なる他方の通信網を介して前記一方の通信網において発生した着信に関する情報を通知するステップとを実行するところにある。
【００３５】
また、前記通知するステップの実行に際し、着信に関する情報の通知を行う際に、外部からの制御入力に応じて前記端末装置に電源を投入する電池回路に当該制御入力を与えるステップを実行することができる。
【００３６】
また、前記検知するステップの実行に際し、複数の前記端末装置の前記一方の通信網との接続状態を順番に確認するステップを実行することができる。
【００３７】
あるいは、前記端末装置は、自端末装置と前記一方の通信網との接続状態を監視して報告するステップを実行し、前記検知するステップの実行に際し、当該報告するステップからの報告を受け取り前記端末装置の前記一方の通信網との接続状態を検知するステップを実行することができる。
【００３８】
あるいは、前記一方の通信網は、自通信網と前記端末装置との接続状態を監視するステップを実行し、前記検知するステップの実行に際し、当該監視するステップに前記端末装置の前記一方の通信網との接続状態を問い合わせるステップを実行することができる。
【００３９】
また、前記着信は、電子メールまたはＩＰ電話を含むディジタル回線からの着信に加えアナログ電話回線からの着信も含むことができる。
【００４０】
また、前記通知するステップの実行に際し、あらかじめ指定された前記端末装置に限定して通知を行うステップを実行することができる。
【発明の効果】
【００４１】
本発明によれば、電話または電子メールなどにより着信した情報を、着信時刻から大きく遅れることなく、着信者が入手し、着信内容を得ることが可能となる。
【発明を実施するための最良の形態】
【００４２】
（第一実施例）
本発明第一実施例を図面を参照して説明する。図１に第一実施例の全体構成を示す。図中の１は本発明による電話または電子メールの着信通知システムのサービスサーバ装置であり、２は端末装置、３は高速なデータ通信が可能な高速通信網であり、４は高速通信網３へのアクセススポット、５は高速通信網３と比較するとデータ通信速度は低速であるがサービスエリアが広い広域通信網、６は既存電話回線、７は端末装置２に具備する高速通信網３への接続装置、８は端末装置２に具備する広域通信網５への接続装置、９はサービスサーバ装置１が実施する接続装置７の接続状態確認の流れ、１０はサービスサーバ装置１が実施する電話または電子メールの着信通知の流れ、１２はサービスサーバ装置１が既存電話回線６以外に着信する電話（ＶｏＩＰ）および電子メールが発信される高速通信網である。
【００４３】
前提としては、端末装置２はアクセススポット４の間を移動し、アクセススポット４の領域外では高速通信網３への未接続となる。一方、着信通知１０の流れは広域通信網５により接続可能であり、端末装置２は接続装置８を介してサービスサーバ装置１との通信が常に可能な状態である。
【００４４】
第一実施例は、サービスサーバ装置１が複数の端末装置２の高速通信網３との接続状態をポーリングにより順番に確認する。具体的には、端末装置２がアクセススポット４に接続されているか否かを複数の端末装置２のアドレス毎に順番に確認する。
【００４５】
動作としては、サービスサーバ装置１は端末装置２宛のＶｏＩＰによるＩＰ電話または番号通知の通常電話または電子メールの着信を受けた時点で、アクセススポット４により端末装置２のアクセススポット４を介した高速通信網３への接続状態を確認し、接続状態であれば転送を実施し、非接続であれば広域通信網５を介して接続装置８への着信の情報（着信通知）を通知する。着信通知は、電話の場合は発信者の電話番号と着信時刻であり、電子メールの場合は発信者のメールアドレス、メール題名（サブジェクト）、発信時刻、着信時刻である。
【００４６】
図２に、図１の端末装置２の構成を示す。２、７、８は図１の２、７、８に対応し、２０は高速通信網３へのアクセススポット４を介して通信を行い電子メール、電話の着信が可能な機能ブロックである高速接続部であり、２１は広域接続部２２、操作表示部２３を駆動する一次電池もしくは二次電池からなる電池回路であり、２２は広域通信網５を介してサービスサーバ装置１と通信し、電子メールまたは電話の着信通知を受け取る機能ブロックである広域接続部、２３は広域接続部２２の着信情報を表示し、かつ、広域接続部２２を操作する操作表示部である。
【００４７】
動作としては、高速接続部２０が電話または電子メールの着信を受け付けることが可能な状態であれば、高速接続部２０は、図１のサービスサーバ装置１から転送される電子メールまたは電話の着信を受け付ける。高速接続部２０が電話または電子メールの着信通知を受け付けることが不可能な状態であれば、広域接続部２２が図１のサービスサーバ装置１より着信通知を受け取り、操作表示部２３に表示する。
【００４８】
図３に図１のサービスサーバ装置１の構成を示す。図中３０は図１の端末装置２のアクセススポット４への接続状態を監視する接続状態監視部であり、３１は電話（ＶｏＩＰ、既存電話回線）の着信通知と転送指示を行う電話着信処理部であり、３２は電子メールの着信通知と転送指示を行う電子メール着信処理部であり、３３は図１の高速通信網３、広域通信網５、既存電話回線６の収容（への接続）と電話着信処理部３１、電子メール着信処理部３２の転送指示により電話と電子メールを、図１の高速通信網３を介して端末装置２へ転送する回線収容転送機能部であり、３４は接続状態監視部３０、電話着信処理部３１、電子メール着信処理部３２、回線収容転送機能部３３を互いに接続する接続部であり、３５は図１のサービスサーバ装置１の通信網３への接続で回線であり、３６は図１のサービスサーバ装置１の広域通信網５への接続であり、３７は図１の既存電話回線６に相当する。サービスサーバ装置１は、電子メールまたはＩＰ電話を含むディジタル回線からの着信に加え、既存電話回線６のようなアナログ回線からの着信も含めて処理の対象とする。
【００４９】
図４に図３の接続状態監視部３０の構成を示す。図中４１は図１の端末装置２のアクセススポット４への接続状態を逐次確認する接続状態確認部、４２は接続状態確認部４１が確認した接続状態を蓄積する接続状態蓄積部、４３は図３の電話着信処理部３１、電子メール着信処理部３２からの要求に応じて端末装置２の接続状態を返答する接続状態回答部、４５は図３の接続部３４に接続するインタフェース部、４６は図３の接続部３４への接続である。
【００５０】
図５に図４の接続状態蓄積部４２の内部構成を示す。接続状態蓄積部４２は複数存在する図１の端末装置２に対応してその接続状態を確認するに必要な情報を１つのデータレコードとして保管している。１つのレコードには、１つの図１の端末装置２が有する高速通信網３のアドレス（以下では、高速通信網アドレスという）、広域通信網５のアドレス（以下では、広域通信網アドレスという）、接続状態が逐次保管変更される。
【００５１】
図６に図４の接続状態確認部４１の動作を示す。動作は４つの処理から構成される。図中Ｓ１はあるレコードからの高速通信網アドレスの読み出し動作、Ｓ２は高速通信網３を介して図１の端末装置２のアクセススポット４への接続状態の確認動作、Ｓ３はＳ２の確認結果を当該レコードに書き込む動作、Ｓ４はレコードを次に進める動作である。
【００５２】
Ｓ１、Ｓ２、Ｓ３、Ｓ４はレコードを進めながら順次繰り返し実行される。図４の接続状態蓄積部４２内の最後のレコードに到達した場合には、レコードを先頭のものに変更して動作を続ける。
【００５３】
図７に図４の接続状態回答部４３の動作を示す。動作は４つの処理から構成される。図中Ｓ１１は図３の電話着信処理部３１、電子メール着信処理部３２からの図１の端末装置２の高速通信網３への接続状態の問い合わせ待ち動作、Ｓ１２は問い合わせに含まれる高速通信網アドレスを検索鍵として、図４の接続状態蓄積部４２を検索し当該高速通信網アドレスの格納されたレコードの接続状態を読み出す動作、Ｓ１３は検索が成功した場合に接続状態と広域通信網アドレスを問い合わせ元に返信する動作、Ｓ１４は検索が失敗した場合にエラーを問い合わせ元に返信する動作である。
【００５４】
Ｓ１２での検索の成功、失敗は、当該高速通信網アドレスを格納するレコードが検索により発見されたか否かで決定する。
【００５５】
図８に図３の電話着信処理部３１の構成を示す。図中、５１は外部から電話の着信を受け高速通信網３を介して転送、もしくは、広域通信網５を介しての着信通知を判断する電話処理判断処理部、５２は電話処理判断処理部５１の要求に応じて受けた電話の電話番号もしくは電話番号に等価なアドレス記述を検索鍵として、電話番号高速網アドレス蓄積部５４を検索し高速通信網アドレスを出力する検索部、５３は電話の着信通知を広域通信網５に接続された端末装置２に送出する電話着信通知送出部、５４は図１の端末装置２の高速なアドレスに対して１つのレコードを設けた電話番号高速網アドレス蓄積部、５５は図３の接続部３４に接続するためのインタフェース部、５６は電話処理判断処理部５１から検索部５２に向けて検索依頼時の電話番号、もしくは、電話番号に相当するアドレス記述の流れ、５７は検索部５２から電話番号高速網アドレス蓄積部５４へのアクセスの流れ、５８は検索部５２から電話処理判断処理部５１への検索結果の流れ、５９は電話処理判断処理部５１から電話着信通知送出部５３への着信通知発信に必要な情報の流れ、６０は電話着信通知送出部５３から送出される着信通知の流れ、６１は図３の接続部３４宛の接続である。
【００５６】
図９に電話番号高速網アドレス蓄積部５４のデータ構造を示す。１つのレコードは１つの図１の端末装置２に対応する１つの高速通信網アドレスに対応し、電話番号／電話番号に相当するアドレス記述、高速通信網アドレスで構成される。
【００５７】
図１０に図８の電話処理判断処理部５１の動作を示す。図中、Ｓ２１は電話（ＶｏＩＰもしくは既存電話）の着信待ち動作、Ｓ２２は着信した電話の宛先電話番号、もしくは、電話番号に相当するアドレス記述に基づいた検索部５２への検索依頼動作、Ｓ２３はＳ２２の検索結果（高速通信網アドレス）に基づいた図３の接続状態監視部３０に対する接続状態の問い合わせ動作、Ｓ２４はＳ２３の問い合わせ結果が未接続の場合の着信した電話の発信元情報、および、広域なデータ網アドレスを基にした電話着信通知送出部５３への着信通知送信依頼動作、Ｓ２５はＳ２３の問い合わせ結果接続中の場合の図３の回線収容転送機能部３３への着信電話転送（接続）動作、Ｓ２６はＳ２２の検索時に該当する電話番号、もしくは、電話番号に相当するアドレス記述が存在しない場合の接続要求元への通知動作（この時、要求元で切断動作が行われる）である。
【００５８】
図１１に図８の検索部５２の動作を示す。図中、Ｓ３１は電話処理判断処理部５１から発行される検索依頼時の電話番号、もしくは、電話番号に相当するアドレス記述５６の流れを待つ問い合わせ待ち動作、Ｓ３２は電話番号、もしくは、電話番号に相当するアドレス記述を検索鍵として電話番号高速網アドレス蓄積部５４を検索する検索動作、Ｓ３３はＳ３２の検索が成功した場合の電話処理判断処理部５１への検索結果（高速な通信網のアドレス）を通知する動作、Ｓ３４はＳ３２の検索が失敗した場合の電話処理判断処理部５１へのエラーの通知動作である。
【００５９】
Ｓ３２の検索の成功は、検索鍵として渡される電話番号、もしくは、電話番号に相当するアドレス表記が電話番号高速網アドレス蓄積部５４内のレコードに存在した場合であり、失敗は存在しない場合である。
【００６０】
図１２に図８の電話着信通知送出部５３の動作を示す。図中Ｓ４１は図８の電話処理判断処理部５１からの発信元情報および広域通信網アドレス待ち動作、Ｓ４２は受け取った広域通信網アドレス宛への着信通知（発信元情報、時刻）の送出動作である。
【００６１】
図１３に図３の電子メール着信処理部３２の構成を示す。図中、６１は外部から電子メールの着信を受け高速通信網３を介して転送、もしくは、広域通信網５を介しての着信通知を判断する電子メール着信処理判断処理部、６２は電子メール着信処理判断処理部６１の要求に応じて受けた電子メールのアドレス記述を検索鍵として、電子メールアドレス高速網アドレス蓄積部６４を検索し高速な通信網のアドレスを出力する検索部、６３は電子メールの着信通知を広域なデータ通信網に接続された端末に送出する電子メール着信通知送出部、６４は図１の端末装置２の電子メールアドレスに対して１つのレコードを設けた電子メールアドレス高速網アドレス蓄積部、６５は図３の接続部３４に接続するためのインタフェース部、６６は電子メール着信処理判断処理部６１から検索部６２に向けて検索依頼時の電子メールアドレス記述の流れ、６７は検索部６２から電子メールアドレス高速網アドレス蓄積部６４へのアクセスの流れ、６８は検索部６２から電子メール着信処理判断処理部６１への検索結果の流れ、６９は電子メール着信処理判断処理部６１から電子メール着信通知送出部６３への着信通知発信に必要な情報の流れ、７０は電子メール着信通知送出部６３から送出される着信通知の流れ、７１は図３の接続部３４宛の接続である。
【００６２】
図１４に図１３の電子メールアドレス高速網アドレス蓄積部６４のデータ構造を示す。１つのレコードは１つの図１の端末装置２に対応する１つの高速通信網アドレスに対応し、電子メールアドレス記述、高速通信網アドレスで構成される。
【００６３】
図１５に図１３の電子メール着信処理判断処理部６１の動作を示す。図中、Ｓ５１は電子メールの到着待ち動作、Ｓ５２は到着した電子メールの宛先電子メールアドレス記述に基づいた検索部６２への検索依頼動作、Ｓ５３は検索部６２の検索結果（高速通信網アドレス）に基づいた図３の接続状態監視部３０に対する接続状態の問い合わせ動作、Ｓ５４はＳ５３の問い合わせ結果が未接続の場合の電子メールの発信元情報および広域通信網アドレスを基にした電子メール着信通知送出部６３への着信通知送信依頼動作、Ｓ５５はＳ５３の問い合わせの結果が接続中の場合の電子メール転送動作、Ｓ５６はＳ５２の問い合わせ時に該当する電子メールアドレス記述が存在しない場合の電子メール発信元への通知動作である。
【００６４】
図１６に図１３の検索部６２の動作を示す。図中、Ｓ６１は電子メール着信処理判断処理部６１から発行される電子メールアドレス記述６６の流れを待つ問い合わせ待ち動作、Ｓ６２は宛先電子メールアドレス記述を検索鍵として電子メールアドレス高速網アドレス蓄積部６４を検索する検索動作、Ｓ６３はＳ６２の検索が成功した場合の電子メール着信処理判断処理部６１への検索結果（高速通信網アドレス）を通知する動作、Ｓ６４はＳ６２の検索が失敗した場合の電子メール着信処理判断処理部６１へのエラーの通知動作である。
【００６５】
Ｓ６２の検索の成功は、検索鍵として渡される宛先電子メールアドレス表記が電子メールアドレス高速網アドレス蓄積部６４内のレコードに存在した場合であり、失敗は存在しない場合である。
【００６６】
図１７に図１３の電子メール着信通知送出部６３の動作を示す。図中Ｓ７１は図１３の電子メール着信処理判断処理部６１からの発信元情報と広域通信網アドレス待ち動作、Ｓ７２は受け取った広域通信網アドレス宛への電子メールの着信通知（宛元電子メールアドレス、要約（サブジェクト）、時間）の送出動作である。
【００６７】
（第二実施例）
第一実施例では、サービスサーバ装置１が複数の端末装置２の高速通信網３との接続状態をポーリングにより順番に確認したが、第二実施例では、端末装置２と高速通信網３との接続状態が変化した時点で、端末装置２自身がその変化を広域通信網５を介してサービスサーバ装置１に通知する。
【００６８】
図１８に第二の実施例の全体構成を示す。図中１は本発明による電話または電子メールの着信通知システムのサービスサーバ装置であり、２は端末装置、３は高速通信網であり、４は高速通信網３へのアクセススポット、５は広域通信網、６は既存電話回線、７は端末装置２に具備する高速通信網３への接続装置、８は端末装置２に具備する広域通信網５への接続装置、１０はサービスサーバ装置１が実施する電話または電子メールの着信通知の流れ、１２はサービスサーバ装置１が既存電話回線６以外に着信する電話（ＶｏＩＰ）および電子メール発信される高速通信網、１９は端末装置２が実施する接続装置７の接続状態通知の流れである。
【００６９】
前提としては、端末装置２はアクセススポット４の間を移動し、アクセススポット４の領域外では高速通信網３への未接続となる。一方、電話または電子メールの通信通知１０の流れは広域で接続可能であり、端末装置２は接続装置８および広域通信網５を介してサービスサーバ装置１との通信が常に可能な状態である。
【００７０】
動作としては、サービスサーバ装置１は端末装置２宛のＶｏＩＰによるＩＰ電話または番号通知の通常電話または電子メールの着信を受けた時点で、端末装置２のアクセススポット４を介した高速通信網３への接続状態を確認し、接続状態であれば転送を実施し、非接続であれば広域通信網５を介して接続装置８への着信の情報（着信通知）を通知する。
【００７１】
着信通知は、電話の場合は発信者の電話番号と着信時刻であり、電子メールの場合は発信者のメールアドレス、メール題名（サブジェクト）、発信時刻、着信時刻である。
【００７２】
端末装置２の構成は、第一実施例で示した図２と共通であるが、広域接続部５２は、広域通信網５を介して図１８のサービスサーバ装置１と通信し、接続装置７の高速通信網３の接続状態が変化した場合に接続状態の通知を行うと共に、電子メールまたは電話の着信通知を受け取る機能ブロックである。
【００７３】
動作としては、高速接続部２０が電話または電子メールの着信を受け取ることが可能な状態であれば、高速接続部２０は、図１８のサービスサーバ装置１から転送される電話または電子メールの着信を受け付ける。高速接続部２０が電話または電子メールの着信通知を受け付けることが不可能な状態であれば、広域接続部２２が図１８のサービスサーバ装置１より着信通知を受け取り、操作表示部２３に表示する。加えて、電話または電子メールの着信を受け付けることができる状態とは、端末装置２がアクセススポット４の領域にあり、通信可能な手続きが終了している状態であり、その状態の変化は、広域接続部２２が監視を行い、変化が発生した時点で、接続状態通知１９の流れとして広域通信網５を介してサービスサーバ装置１へ通知する。
【００７４】
サービスサーバ装置１の構成は、第一実施例で説明した図３の構成と共通である。接続状態監視部３０の構成を図１９に示す。第二実施例の接続状態監視部３０の構成は、第一実施例で説明した図４の構成とほぼ共通であるが、図中４１′は図１８の端末装置２のアクセススポット４への接続状態通知１９を受け付ける接続状態通知受付部である。
【００７５】
図２０に接続状態通知受付部４１′の動作を示す。動作は２つの処理から構成される。図中Ｓ８１は図１８の接続状態通知１９の流れによる高速通信網３への接続状態通知待ち動作、Ｓ８２は受け取った高速通信網３の接続状態を更新する接続状態更新動作である。Ｓ８１、Ｓ８２は順次繰り返し実行される。
【００７６】
他の動作は、第一実施例と共通である。
【００７７】
（第三実施例）
第三実施例では、端末装置２の高速通信網３との接続状態を、高速通信網３を管理運用している管理サーバ１３が監視し、サービスサーバ装置１は、必要に応じて、端末装置２と高速通信網３との接続状態を管理サーバ１３に問い合わせる。
【００７８】
図２１に第三実施例の全体構成を示す。図中１は本発明による電話または電子メールの着信通知システムのサービスサーバ装置であり、２は端末装置、３は高速通信網であり、４は通信網３へのアクセススポット、５は広域通信網、６は既存電話回線、７は端末装置２に具備する高速通信網３への接続装置、８は端末装置２に具備する広域通信網５への接続装置、１０はサービスサーバ装置１が実施する電話または電子メールの着信通知の流れ、１２はサービスサーバ装置１が既存電話回線６以外に着信する電話（ＶｏＩＰ）および電子メールが発信される高速通信網、１３は接続装置７の高速通信網３への接続を監視する管理サーバ、１４は接続装置７がアクセススポット４を介して高速通信網３へ接続する時点での接続要求の流れ、１９は管理サーバ１３からサービスサーバ装置１に対して実施する接続状態通知の流れ、２９はサービスサーバ装置１が管理サーバ１３に対して実施する接続装置７の接続状態問い合わせの流れである。
【００７９】
前提としては、端末装置２はアクセススポット４の間を移動し、アクセススポット４の領域外では高速通信網３への未接続となる。一方、端末装置２は接続装置８および広域通信網５を介してサービスサーバ装置１との通信が常に可能な状態であり、電話または電子メールの着信通知１０の流れは広域で端末装置２に接続可能である。
【００８０】
動作としては、電話または電子メールの着信通知１０の流れは端末装置２宛のＶｏＩＰによるＩＰ電話または番号通知の通常電話または電子メールの着信を受けた時点で、端末装置２のアクセススポット４を介した高速通信網３への接続状態を確認し、接続状態であれば転送を実施し、非接続であれば広域通信網５を介して接続装置８へ着信の情報（着信通知）を通知する。
【００８１】
着信通知は、電話の場所は発信者の電話番号と着信時刻であり、電子メールの場合は発信のメールアドレス、メール題名（サブジェクト）、発信時刻、着信時刻である。
【００８２】
端末装置２の構成は、第一実施例で説明した図２の構成と共通であるが、高速接続部５０は、アクセススポット４への接続の再に管理サーバ１３に接続の要求１４を行う。
【００８３】
動作としては、高速接続部２０が電話または電子メールの着信を受け付けることが可能な状態であれば、高速接続部２０は、図２１のサービスサーバ装置１から転送される電話または電子メールの着信を受け付ける。高速接続部２０が電話または電子メールの着信通知を受け付けることが不可能な状態であれば、広域接続部２２が図２１の電話または電子メールの着信通知１０の流れより着信通知を受け取り、操作表示部２３に表示する。加えて、電話または電子メールの着信を受け付けることができる状態とは、端末装置２がアクセススポット４の領域にあり、通信可能な手続きである接続要求１４が終了している状態であり、その状態の変化は、管理サーバ１３が監視を行う。
【００８４】
図２２に、第三実施例のサービスサーバ装置１の構成を示す。サービスサーバ装置１の構成は、第一実施例で説明した図３の構成とほぼ共通であるが、３０′は図２１の端末装置のアクセススポット４への接続状態を管理サーバ１３に問い合わせる接続状態問い合わせ部である。
【００８５】
図２３に図２２の接続状態問い合わせ部３０′の構成を示す。図中、７１は図２２の電話着信処理部３１、電子メール着信処理部３２からの要求に応じて図２１の管理サーバ１３に接続装置７の接続を問い合わせると共に、アドレス情報蓄積部７２を検索し、該当する広域なデータ通信網のアドレスを検索し双方の結果を返す接続状態回答部、７２は端末装置２が持つ高速通信網アドレスと、広域通信網アドレスを蓄積するアドレス情報蓄積部、７３は図２２の接続部３４に接続するインタフェース部、７４は図２２の接続部３４への接続である。
【００８６】
アドレス情報蓄積部７２の内部構成は、図５に示す接続状態蓄積部４２の構成と共通である。アドレス情報蓄積部７２は複数存在する図２１の端末装置２に対応してその接続状態を確認するに必要な情報を１つのデータレコードとして保管している。１つのレコードには、１つの図２１の端末装置２が有する高速な通信網アドレス、広域通信網アドレスである。
【００８７】
図２４に図２３の接続状態回答部７１の動作を示す。図中、Ｓ９１は図２２の電話着信処理部３１、電子メール着信処理部３２からの図２１の端末装置２の高速通信網３への接続状態の問い合わせ待ち動作、Ｓ９２は問い合わせに含まれる高速通信網アドレスを検索鍵として、図２３のアドレス情報蓄積部７２を検索し当該高速通信網アドレスの格納されたレコードの広域通信網アドレスを読み出す動作、Ｓ９３は検索が成功した場合にさらに、管理サーバ１３に接続状態問い合わせ２９の流れにより端末装置２の接続状態を問い合わせる動作、Ｓ９４はＳ９３により得られた接続状態とＳ９２により得られる広域通信網アドレスを問い合わせ先に接続状態通知１９の流れにより結果として返す動作、Ｓ９５は検索が失敗した場合にエラーを問い合わせ元に返信する動作である。
【００８８】
Ｓ９２での検索の成功、失敗は、当該高速な通信網アドレスを格納するレコードが検索により発見されてか否かで決定する。
【００８９】
（第四実施例）
電池回路２１は、端末装置２の主電源が断状態であっても、外部からの制御入力に応じて端末装置２に電源を投入することができる。例えば、図８に示す電話着信通知送出部５８が端末装置２に対し、着信に関する情報の通知を行う際に、当該端末装置２の電源が断状態であるときには、電池回路２１に制御入力を与えて端末装置２の電源を投入することができる。
【００９０】
なお、端末装置２の主電源が断状態であることを確認した上で、電池回路２１に制御入力を与える必要性はなく、電話着信通知送出部５３が着信通知を行う場合には、毎回、電池回路２１に対して制御入力を与える構成としてもよい。これによれば、端末装置２の主電源の断状態を検出する手段を特に設ける必要はない。
【００９１】
また、端末装置２の主電源が断状態でない場合に、電池回路２１が前記制御入力を受け取った場合には、電池回路２１はこの制御入力を無視する構成とすればよい。
【００９２】
（第五実施例）
サービスサーバ装置１は、あらかじめ指定された端末装置２に限定して第一〜第三実施例で説明した着信通知サービスを行うことができる。これによれば、例えば、着信通知サービスを契約したユーザに対してのみ、当該サービスを提供することができるため、通信事業者が当該サービスの提供契約を行ったユーザとそれ以外のユーザとを区別して課金することができる。
【産業上の利用可能性】
【００９３】
本発明によれば、電話または電子メールなどにより着信した情報を、着信時刻から大きく遅れることなく、着信者が入手し、着信内容を得ることが可能となるので、電話または電子メールなどのサービスを利用するユーザの利便性を向上させることができる。
【図面の簡単な説明】
【００９４】
【図１】第一実施例の全体構成図。
【図２】第一実施例の端末装置のブロック構成図。
【図３】第一実施例のサービスサーバ装置のブロック構成図。
【図４】第一実施例の接続状態監視部のブロック構成図。
【図５】第一実施例の接続状態蓄積部の内部構成図。
【図６】第一実施例の接続状態確認部の動作を示すフローチャート。
【図７】第一実施例の接続状態回答部の動作を示すフローチャート。
【図８】第一実施例の電話着信処理部のブロック構成図。
【図９】第一実施例の電話番号高速網アドレス蓄積部のデータ構造を示す図。
【図１０】第一実施例の電話処理判断処理部の動作を示すフローチャート。
【図１１】第一実施例の図８の検索部の動作を示すフローチャート。
【図１２】第一実施例の電話着信通知送出部の動作を示すフローチャート。
【図１３】第一実施例の電子メール着信処理部のブロック構成図。
【図１４】第一実施例の電子メールアドレス高速網アドレス蓄積部のデータ構造を示す図。
【図１５】第一実施例の電子メール着信処理判断処理部の動作を示すフローチャート。
【図１６】第一実施例の図１３の検索部の動作を示すフローチャート。
【図１７】第一実施例の図１３の電子メール着信通知送出部の動作を示すフローチャート。
【図１８】第二実施例の全体構成図。
【図１９】第二実施例の接続状態監視部のブロック構成図。
【図２０】第二実施例の接続状態通知受付部の動作を示すフローチャート。
【図２１】第三実施例の全体構成図。
【図２２】第三実施例のサービスサーバ装置のブロック構成図。
【図２３】第三実施例の接続状態問い合わせ部のブロック構成図。
【図２４】第三実施例の接続状態回答部の動作を示すフローチャート。
【符号の説明】
【００９５】
１  サービスサーバ装置
２  端末装置
３、１２  高速通信網
４  アクセススポット
５  広域通信網
６、３７  既存電話回線
７、８  接続装置
９  接続状態確認
１０  着信通知
１３  管理サーバ
１４  接続要求
１９  接続状態通知
２０  高速接続部
２１  電池回路
２２  広域接続部
２３  操作表示部
２９  接続状態問い合わせ
３０  接続状態監視部
３０′  接続状態問い合わせ部
３１  電話着信処理部
３２  電子メール着信処理部
３３  回線収容転送機能部
３４  接続部
３５  回線
３６、４６、６１、７１、７４  接続
４１  接続状態確認部
４１′  接続状態通知受付部
４２  接続状態蓄積部
４３  接続状態回答部
４５、５５、６５、７３  インタフェース部
５１  電話処理判断処理部
５２、６２  検索部
５３  電話着信通知送出部
５４  電話番号高速網アドレス蓄積部
５６、６６  アドレス記述
５７、６７  アクセス
５８、６８  検索結果
５９、６９  着信通知発信に必要な情報
６０、７０  着信通知
６１  電子メール着信処理判断処理部
６３  電子メール着信通知送出部
６４  電子メールアドレス高速網アドレス蓄積部
７１  接続状態回答部
７２  アドレス情報蓄積部
【図１】
2006324790.tif 000003
【図２】
2006324790.tif 000004
【図３】
2006324790.tif 000005
【図４】
2006324790.tif 000006
【図５】
2006324790.tif 000007
【図６】
2006324790.tif 000008
【図７】
2006324790.tif 000009
【図８】
2006324790.tif 000010
【図９】
2006324790.tif 000011
【図１０】
2006324790.tif 000012
【図１１】
2006324790.tif 000013
【図１２】
2006324790.tif 000014
【図１３】
2006324790.tif 000015
【図１４】
2006324790.tif 000016
【図１５】
2006324790.tif 000017
【図１６】
2006324790.tif 000018
【図１７】
2006324790.tif 000019
【図１８】
2006324790.tif 000020
【図１９】
2006324790.tif 000021
【図２０】
2006324790.tif 000022
【図２１】
2006324790.tif 000023
【図２２】
2006324790.tif 000024
【図２３】
2006324790.tif 000025
【図２４】
2006324790.tif 000026